(57)【要約】【課題】  高純度なアルカリイオン水を生成するため、逆浸透膜を透過した水でアルカリイオン水を生成したいが、透過水にはミネラル分が少ないため、対イオン不足や印加電圧が高いことから、助剤などを添加しなければ省電力且つ省スペースでアルカリイオン水を生成することはできないという問題点があった。【解決手段】  本発明では、逆浸透膜の濃縮水を電気分解した後、透過水と混合することにより、省電力且つ省スペースで高純度のアルカリ水を供給できる飲用水製造装置を提供する。【選択図】  図１
2006272030.tif 000002
【特許請求の範囲】
【請求項１】
原水を供給する給水手段と、
前記給水手段の下流側に設けられた逆浸透膜と、
前記逆浸透膜を透過した透過水を移送するための第一の管路と、
前記逆浸透膜で濃縮した濃縮水を移送するための第二の管路と、
前記第二の管路に連通され、電気分解によって酸性水とアルカリ水とを生成する電気分解装置と、
前記電気分解装置により生成されたアルカリ水を移送するための第三の管路と、
前記電気分解装置により生成された酸性水を移送するための第四の管路と、
透過水、アルカリ水、酸性水の吐水を択一的に選択可能とする選択手段と、
前記選択手段によって選択された吐水の種類を制御する制御手段と、
前記第一の管路の途上に備えた第一の貯水手段と、
前記第三の管路の途上に備えた第二の貯水手段と、
前記第四の管路の途上に備えた第三の貯水手段と、
前記第二の貯水手段の下流側に前記第三の管路を開閉する第一の流路開閉手段と、
前記第三の貯水手段の下流側に前記第四の管路を開閉する第二の流路開閉手段とを備え、
前記第三の管路は前記第一の流路開閉手段の下流側で前記第一の管路と連通され、
前記第四の管路は前記第二の流路開閉手段の下流側で前記第一の管路と連通され、
前記制御手段は、
前記選択手段によって透過水が選択された場合には前記第一および第二の流路開閉手段により第三および第四の管路が閉鎖され、
アルカリ水が選択された場合には前記第一の流路開閉手段により前記第三の管路が開放、前記第二の流路開閉手段により前記第四の管路が閉鎖され、
酸性水が選択された場合には前記第一の流路開閉手段により前記第三の管路が閉鎖、前記第二の流路開閉手段により前記第四の管路が開放されることを特徴とする水供給装置。
【請求項２】
原水を供給する給水手段と、
前記給水手段の下流側に設けられた逆浸透膜と、
前記逆浸透膜を透過した透過水を移送するための第一の管路と、
前記逆浸透膜で濃縮した濃縮水を移送するための第二の管路と、
前記第二の管路に連通され、電気分解によって酸性水とアルカリ水とを生成する電気分解装置と、
前記電気分解装置により生成されたアルカリ水を移送するための第三の管路と、
前記電気分解装置により生成された酸性水を移送するための第四の管路と、
透過水、アルカリ水、酸性水の吐水を択一的に選択可能とする選択手段と、
前記選択手段によって選択された吐水の種類を制御する制御手段と、
前記第一の管路の途上に備えた第一の貯水手段と、
前記第三の管路の途上に備えた第二の貯水手段と、
前記第四の管路の途上に備えた第三の貯水手段と、
前記第一の貯水手段の下流側の第一の管路の途上に透過水を移送するための第一のポンプと、
前記第二の貯水手段の下流側の第三の管路の途上にアルカリ水を移送するための第二のポンプと、
前記第三の貯水手段の下流側の第四の管路の途上に酸性水を移送するための第三のポンプとを備え、
前記第三の管路は第二のポンプの下流側で前記第一の管路と連通され、
前記第四の管路は第三のポンプの下流側で前記第一の管路と連通され、
前記制御手段は、
前記選択手段によって透過水が選択された場合には前記第一のポンプが駆動され、
アルカリ水が選択された場合には前記第一および第二のポンプが駆動され、
酸性水が選択された場合には前記第一および第三のポンプが駆動されることを特徴とする水供給装置。
【発明の詳細な説明】
【技術分野】
【０００１】
本発明は生体に有害な有機物や異臭味物質、重金属などの有害物質を高効率で取り除いた、飲用に適した高純度の水、および飲用に適した高純度のアルカリイオン水を提供するとともに、殺菌等に適した酸性水を提供する水供給装置に関するものである。
【背景技術】
【０００２】
アルカリイオン水は飲用として、慢性下痢、消化不良、胃酸過多などの症状に効果があるとされており、アルカリイオン水を生成させるイオン水生成装置は数多く市販されている。しかしこのような装置の場合、生体に有害な有機物や異臭味物質、重金属などの有害物質を除去する手段として活性炭による吸着や数μｍの孔径の中空糸膜による膜分離、ゼオライトによるイオン交換などを利用しているため、不純物の除去率は８０％程度と低く、生体に安心な水とは言いがたい。
【０００３】
逆浸透膜を透過した、有害物質を高効率で除去した水を提供する水供給装置も市販されている。しかし逆浸透膜は有害物質だけでなく、ＯＨ−の対イオンとしてアルカリ水の生成に不可欠なミネラル分も透過しないため、透過水に含まれているミネラル分は飲用に適したアルカリイオン水を生成させるための十分な量ではない。また水の電気伝導度も低いため、電気分解のための抵抗が大きく、透過水を電気分解してアルカリイオン水を生成させるためには、大型の電気分解装置に高い電圧をかける必要があり、装置の大型化と高い電力が必要になるという問題がある。
【０００４】
電気分解を促進するために、逆浸透膜の透過水にＮａＣｌのような電解質を添加してから電気分解を行う方法もある（例えば特開２００３−１７５３９０参照）。また市販されているイオン水生成装置でもミネラル分が少ない水を電気分解する場合には、乳酸カルシウムやグリセロリン酸カルシウムを電解助剤として添加してから電気分解することが一般に行われている。しかしＮａＣｌのような物質を添加してから電気分解によりアルカリ水を生成させると、生成したアルカリ水に含まれる主な物質がＮａＯＨとなり、飲用に適さないなど、助剤の選定が難しいといった問題があり、また市販されているイオン水生成装置も乳酸カルシウムやグリセロリン酸カルシウムを水に一定量溶かす制御が困難であり、また一定期間ごとに手動で助剤を添加しなければいけないため、メンテナンスに手間がかかるといった問題がある。
【特許文献１】特開２００３−１７５３９０号公報
【発明の開示】
【発明が解決しようとする課題】
【０００５】
本発明は、上記問題を解決するためになされたもので、本発明の課題は、助剤添加などのメンテナンスを行わずに、省電力且つ省スペースで、飲用に適した高純度のアルカリイオン水を提供することである。
【課題を解決するための手段】
【０００６】
上記目的を達成するために請求項１記載の発明によれば、
原水を供給する給水手段と、
前記給水手段の下流側に設けられた逆浸透膜と、
前記逆浸透膜を透過した透過水を移送するための第一の管路と、
前記逆浸透膜で濃縮した濃縮水を移送するための第二の管路と、
前記第二の管路に連通され、電気分解によって酸性水とアルカリ水とを生成する電気分解装置と、
前記電気分解装置により生成されたアルカリ水を移送するための第三の管路と、
前記電気分解装置により生成された酸性水を移送するための第四の管路と、
透過水、アルカリ水、酸性水の吐水を択一的に選択可能とする選択手段と、
前記選択手段によって選択された吐水の種類を制御する制御手段と、
前記第一の管路の途上に備えた第一の貯水手段と、
前記第三の管路の途上に備えた第二の貯水手段と、
前記第四の管路の途上に備えた第三の貯水手段と、
前記第二の貯水手段の下流側に前記第三の管路を開閉する第一の流路開閉手段と、
前記第三の貯水手段の下流側に前記第四の管路を開閉する第二の流路開閉手段を備え、
前記第三の管路は前記第一の流路開閉手段の下流側で前記第一の管路と連通され、
前記第四の管路は前記第二の流路開閉手段の下流側で前記第一の管路と連通され、
前記制御手段は、
前記選択手段によって透過水が選択された場合には前記第一および第二の流路開閉手段により第三および第四の管路が閉鎖され、
アルカリ水が選択された場合には前記第一の流路開閉手段により前記第三の管路が開放、前記第二の流路開閉手段により前記第四の管路が閉鎖され、
酸性水が選択された場合には前記第一の流路開閉手段により前記第三の管路が閉鎖、前記第二の流路開閉手段により前記第四の管路が開放されることを特徴とする水供給装置により、高純度のアルカリイオン水を提供することを可能とした。
【０００７】
また請求項２記載の発明によれば、
原水を供給する給水手段と、
前記給水手段の下流側に設けられた逆浸透膜と、
前記逆浸透膜を透過した透過水を移送するための第一の管路と、
前記逆浸透膜で濃縮した濃縮水を移送するための第二の管路と、
前記第二の管路に連通され、電気分解によって酸性水とアルカリ水とを生成する電気分解装置と、
前記電気分解装置により生成されたアルカリ水を移送するための第三の管路と、
前記電気分解装置により生成された酸性水を移送するための第四の管路と、
透過水、アルカリ水、酸性水の吐水を択一的に選択可能とする選択手段と、
前記選択手段によって選択された吐水の種類を制御する制御手段と、
前記第一の管路の途上に備えた第一の貯水手段と、
前記第三の管路の途上に備えた第二の貯水手段と、
前記第四の管路の途上に備えた第三の貯水手段と、
前記第一の貯水手段の下流側の第一の管路の途上に透過水を移送するための第一のポンプと、
前記第二の貯水手段の下流側の第三の管路の途上にアルカリ水を移送するための第二のポンプと、
前記第三の貯水手段の下流側の第四の管路の途上に酸性水を移送するための第三のポンプとを備え、
前記第三の管路は第二のポンプの下流側で前記第一の管路と連通され、
前記第四の管路は第三のポンプの下流側で前記第一の管路と連通され、
前記制御手段は、
前記選択手段によって透過水が選択された場合には前記第一のポンプが駆動され、
アルカリ水が選択された場合には前記第一および第二のポンプが駆動され、
酸性水が選択された場合には前記第一および第三のポンプが駆動されることを特徴とする水供給装置により、高純度のアルカリイオン水を提供することを可能とした。
【発明の効果】
【０００８】
本発明によれば、ミネラルリッチな逆浸透膜の濃縮水を電気分解するため、省電力、省スペースでｐＨの高いアルカリ水が生成でき、さらにここで生成したアルカリ水を逆浸透膜の透過水と混合、希釈することで、生体に有害な物質をほとんど含まない、飲用に適したアルカリイオン水が、特別なメンテナンスなしで供給できる。また同時に生体に有害な物質を高効率で除去した高純度の水と酸性水も提供できるという効果がある。
【発明を実施するための最良の形態】
【０００９】
以下、本発明の実施の形態例について、詳細に説明する。
【実施例】
【００１０】
本発明の水供給装置の第一の実施の形態を図１の構成図を用いて説明する。図１において、１は逆浸透膜、２は電気分解により酸性水とアルカリ水とを生成する電気分解装置であり、１０は水道水、井戸水などの原水を逆浸透膜１に供給するための管路、１１は逆浸透膜１を透過した透過水を移送するための第一の管路、１２は逆浸透膜１を透過しなかった水、すなわち濃縮水を移送する第二の管路、１３は電気分解装置２で生成したアルカリ水を移送する第三の管路、１４は電気分解装置２で生成した酸性水を移送する第四の管路、２１は第一の管路１１の途上にある透過水を貯水するための第一の貯水手段、２２は第三の管路１３の途上にあるアルカリ水を貯水するための第二の貯水手段、２３は第四の管路１４の途上にある酸性水を貯水するための第三の貯水手段、３１は貯水手段２２の下流側で管路１３を開閉するための流路開閉手段、３２は貯水手段２３の下流側で管路１４を開閉するための流路開閉手段、４１は管路１１の途上で透過水を排水するための流路切り替え手段、４２は管路１３の途上でアルカリ水を排水するための流路切り替え手段、４３は管路１４の途上で酸性水を排水するための流路切り替え手段、５１は透過水とアルカリ水と酸性水を吐水する吐水手段である。
【００１１】
本発明の第一の実施の形態の水供給装置の吐水の方法を図１を用いて説明する。本発明の水供給装置は、利用者が吐水したい水を選択することにより、装置内の制御装置が働き、選択された水が吐水される。
【００１２】
本発明の水処理装置は貯水手段２１、２２、２３すべてに所定範囲の量の水が貯水されている状態で運転を行う。また貯水手段２１内の透過水の水位は貯水手段２１の下流側の管路１１よりも高く、貯水手段２２内のアルカリ水の水位は貯水手段２２の下流側の管路１３よりも高く、貯水手段２３内の酸性水の水位は貯水手段２３の下流側の管路１４よりも高くしておく。
【００１３】
利用者が透過水を吐水するように選択した場合、流路開閉手段３１および３２によって管路１３および１４が閉まる。透過水は貯水手段２１から流出して管路１１を移送され、吐水手段５１で吐水される。
【００１４】
利用者がアルカリ水を吐水するように選択した場合、流路開閉手段３１によって管路１３が開き、流路開閉手段３２によって管路１４が閉じる。透過水は貯水手段２１から流出して管路１１を移送され、アルカリ水は貯水手段２２から流出して管路１３を移送される。管路１３を移送されたアルカリ水は透過水と合流し、吐水手段５１で吐水される。
【００１５】
利用者が酸性水を吐水するように選択した場合、流路開閉手段３１によって管路１３が閉じ、流路開閉手段３２によって管路１４が開く。透過水は貯水手段２１から流出して管路１１を移送され、酸性水は貯水手段２３から流出して管路１４を移送される。管路１４を移送された酸性水は透過水と合流し、吐水手段５１で吐水される。
【００１６】
貯水の方法はこれに限らないが、一例を図１を用いて説明する。貯水手段２１、２２、２３内の貯水量を所定範囲の量に保つようにしておく。すなわち透過水、アルカリ水、酸性水の貯水量がいずれか１つでも所定の範囲以下になった場合、原水が管路１０を通り、逆浸透膜１に供給され、透過水と濃縮水に分けられる。透過水は管路１１を移送され、貯水手段２１に貯水される。濃縮水は管路１２を移送され、電気分解装置２により、アルカリ水と酸性水に電気分解される。電気分解装置２で生成されたアルカリ水は管路１３を移送され、貯水手段２２に貯水される。酸性水は管路１４を移送され、貯水手段２３に貯水される。すべての貯水手段内の貯水量が所定の量に達したら、原水の供給を止める。
【００１７】
貯水手段２１内の透過水が所定の量に達したにもかかわらず、貯水手段２２内のアルカリ水や貯水手段２３内の酸性水の量が、いずれか一方でも所定の量に達していない場合は、３つすべての貯水手段内の水が所定の量に達するまで、原水の供給を続け、生成した透過水は流路切り替え手段４１から排水する。同様に、貯水手段２２内のアルカリ水の量が所定の量に達したにもかかわらず、他の２つの貯水手段内の水量がいずれか一方でも所定の量に達していない場合は、原水の供給を続け、生成したアルカリ水は流路切り替え手段４２から排水する。貯水手段２３内の酸性水の量が所定の量に達したにもかかわらず、他の２つの貯水手段内の水量がいずれか一方でも所定の量に達していない場合は、原水の供給を続け、生成した酸性水は流路切り替え手段４３から排水する。
【００１８】
貯水手段２２内のアルカリ水および貯水手段２３内の酸性水は所定の量に達したもかかわらず、貯水手段２１内の透過水のみが所定の量に達していないため原水の供給を続けている場合は、電気分解装置２に通電して電気分解を行ってもよいし、通電しなくてもよい。通電しない場合、濃縮水を流路切り替え手段４２から排水してもよいし、流路切り替え手段４３から排水してもよい。図には記載していないが、管路１２の途上に流路切り替え弁を設け、そこから排水してもよいし、逆浸透膜１に余剰の濃縮水を排水する機構を設け、排水してもよい。
【００１９】
逆浸透膜の透過水は清水や軟水として、飲用や料理に利用することができる。
【００２０】
ここで一般に水道水にはＨＣＯ３−、ＣＯ３２−といったイオンが含まれており、中性付近の水では主にＨＣＯ３−として存在している。このＨＣＯ３−が含まれている水をアルカリ性にする場合、化１のようにＯＨ−と反応し、ＯＨ−を消費する緩衝作用がある。そこでＯＨ−はＨＣＯ３−による消費分を過剰に添加しないと所定のｐＨのアルカリ水を生成することができない。
【００２１】
【化１】
2006272030.tif 000003
【００２２】
濃縮水は図２のように、電気伝導度が高くミネラルリッチな水である。濃縮水を電気分解した場合、電気分解装置の大きさなどにもよるが、ｐＨ１２程度のアルカリ水が生成される。そこで理論的にはこのアルカリ水を１００倍希釈すれば飲用に適した範囲のアルカリ水であるｐＨ１０付近の水が得られる。しかしこのアルカリ水をＨＣＯ３−の含まれた水、例えば水道水や活性炭や中空糸膜で処理された水道水で希釈した場合、ＨＣＯ３−によってＯＨ−が消費されるため、１００倍希釈した場合、ｐＨ１０をはるかに下回り、中性付近の水になる。
【００２３】
一方逆浸透膜は、ＨＣＯ３−も透過しないため、透過水中にはＨＣＯ３−がほとんど含まれていない。そこで濃縮水を電気分解して得られたｐＨ１２の水を透過水で１００倍希釈しても、ＨＣＯ３−によるＯＨ−の消費がほとんどないため、理論値と大きく異ならないｐＨ１０程度のアルカリ水を作ることができる。これにより大部分が逆浸透膜の透過水である、有害物質等の不純物の少ない高純度のアルカリイオン水の生成が可能となり、さらに高流量でアルカリ水を供給できるという効果もある。
【００２４】
アルカリ水を透過水で希釈する倍率は、電気分解により生成したアルカリ水の性質によって変化させる。
【００２５】
アルカリ水および酸性水と透過水の混合の割合は、流路開閉手段３１および３２によって制御してもよいし、流路切り替え手段４１、４２、４３によって制御してもよい。図には記載していないが、流量を調節する手段を設けて制御してもよい。
【００２６】
また電気分解によるアルカリ水の生成効率は電流値によって決まる。一方そのときに印加される電圧は電気伝導度に依存し、電気伝導度が高いほど電圧は低くなる。そこで図３のように電気分解に必要な電力は水の電気伝導度に依存し、電気伝導度が高い方が省電力での電気分解が可能である。逆浸透膜によって濃縮された水は、図２のようにミネラルリッチで電気伝導度が高いため、省電力且つ省スペースで電気分解ができる。また濃縮水は十分電気伝導度が高く、ミネラル分も多いため、電解助剤などの添加を必要とせず、特別なメンテナンスなしで装置を運転できる。
【００２７】
本発明の水供給装置の第二の実施の形態を図４の構成図を用いて説明する。図４において、１は逆浸透膜、２は電気分解により酸性水とアルカリ水とを生成する電気分解装置であり、１０は水道水、井戸水などの原水を逆浸透膜１に供給するための管路、１１は逆浸透膜１を透過した透過水を移送するための第一の管路、１２は逆浸透膜１を透過しなかった水、すなわち濃縮水を移送する第二の管路、１３は電気分解装置２で生成したアルカリ水を移送する第三の管路、１４は電気分解装置２で生成した酸性水を移送する第四の管路、２１は第一の管路１１の途上にある透過水を貯水するための第一の貯水手段、２２は第三の管路１３の途上にあるアルカリ水を貯水するための第二の貯水手段、２３は第四の管路１４の途上にある酸性水を貯水するための第三の貯水手段、４１は管路１１の途上で透過水を排水するための流路切り替え手段、４２は管路１３の途上でアルカリ水を排水するための流路切り替え手段、４３は管路１４の途上で酸性水を排水するための流路切り替え手段、５１は透過水とアルカリ水と酸性水を吐水する吐水手段、６１は貯水手段２１の下流側で透過水を移送するためのポンプ、６２は貯水手段２２の下流側でアルカリ水を移送するためのポンプ、６３は貯水手段２３の下流側で酸性水を移送するためのポンプである。
【００２８】
本発明の第二の実施の形態の水供給装置の吐水の方法を図４を用いて説明する。本発明の水供給装置は、すべての貯水手段内に所定量の水が貯水された状態で運転され、利用者が吐水したい水を選択することにより、装置内の制御装置が働き、選択された水が吐水される。
【００２９】
利用者が透過水を吐水するように選択した場合、ポンプ６１により透過水が貯水手段２１から管路１１を移送され、吐水手段５１で吐水される。
【００３０】
利用者がアルカリ水を吐水するように選択した場合、ポンプ６１により透過水が貯水手段２１から管路１１を移送され、ポンプ６２によりアルカリ水が貯水手段２２から管路１３を移送される。管路１３を移送されたアルカリ水は透過水と合流し、吐水手段５１で吐水される。
【００３１】
利用者が酸性水を吐水するように選択した場合、ポンプ６１により透過水が貯水手段２１から管路１１を移送され、ポンプ６３により酸性水が貯水手段２３から管路１４を移送される。管路１４を移送された酸性水は透過水と合流し、吐水手段５１で吐水される。
【００３２】
アルカリ水および酸性水と透過水の混合の割合は、ポンプ６１、６２、６３により流量を調節して制御してもよいし、流路切り替え手段４１、４２、４３によって制御してもよい。図には記載していないが、流量を調節する手段を設けて制御してもよい。
【００３３】
図４のようにポンプを用いた構造では、貯水手段内の水の水位よりも管路が上にあっても水の移送が可能なので、管路と貯水手段の位置の設計を自由に行えるという利点がある。
【００３４】
本発明の水供給装置の第三の実施の形態を図５の構成図を用いて説明する。図５において、１は逆浸透膜、２は電気分解により酸性水とアルカリ水とを生成する電気分解装置であり、１０は水道水、井戸水などの原水を逆浸透膜１に供給するための管路、１１は逆浸透膜１を透過した透過水を移送するための第一の管路、１２は逆浸透膜１を透過しなかった水、すなわち濃縮水を移送する第二の管路、１３は電気分解装置２で生成したアルカリ水を移送する第三の管路、１４は電気分解装置２で生成した酸性水を移送する第四の管路、２１は第一の管路１１の途上にある透過水を貯水するための第一の貯水手段、２２は１３の途上にあるアルカリ水を貯水するための第二の貯水手段、２３は第四の管路の途上にある酸性水を貯水するための第三の貯水手段、３１は貯水手段２２と管路１１との連通部の間で管路１３を開閉するための流路開閉手段、３２は貯水手段２３と管路１１との連通部の間で管路１４を開閉するための流路開閉手段、３３は管路１３と管路１４との連通部の下流側で管路１１を開閉するための流路開閉手段、３４は管路１１との連通部の下流側で管路１３を開閉するための流路開閉手段、３５は管路１１との連通部の下流側で管路１４を開閉するための流路開閉手段、４１は管路１１の途上で透過水を排水するための流路切り替え手段、４２は管路１３の途上でアルカリ水を排水するための流路切り替え手段、４３は管路１４の途上で酸性水を排水するための流路切り替え手段、５２は透過水を吐水する吐水手段、５３はアルカリ水を吐水する吐水手段、５４は酸性水を吐水する吐水手段である。
【００３５】
第三の実施の形態の水供給装置の吐水の方法を図５を用いて説明する。本発明の水供給装置は、すべての貯水手段内に所定量の水が貯水された状態、且つ貯水手段２１内の透過水の水位は貯水手段２１の下流側の管路１１よりも高く、貯水手段２２内のアルカリ水の水位は貯水手段２２の下流側の管路１３よりも高く、貯水手段２３内の酸性水の水位は貯水手段２３の下流側の管路１４よりも高い状態で運転され、利用者が吐水したい水を選択することにより、装置内の制御装置が働き、選択された水がそれぞれ別の吐水手段から吐水される。
【００３６】
利用者が透過水を吐水するように選択した場合、流路開閉手段３１および３４により管路１３が閉まり、流路開閉手段３２および３５により１４が閉まり、流路開閉手段３３により管路１１が開く。透過水は貯水手段２１から流出して管路１１を移送され、吐水手段５２で吐水される。
【００３７】
利用者がアルカリ水を吐水するように選択した場合、流路開閉手段３１および３４により管路１３が開き、流路開閉手段３２および３５により管路１４が閉じ、流路開閉手段３３によって管路１３との連通部の下流側の管路１１が閉じる。透過水は貯水手段２１から流出して管路１１を移送され、アルカリ水は貯水手段２２から流出して管路１３を移送される。管路１３を移送されたアルカリ水は透過水と合流し、吐水手段５３で吐水される。
【００３８】
利用者が酸性水を吐水するように選択した場合、流路開閉手段３１および３４により管路１３が閉じ、流路開閉手段３２および３５により管路１４が開き、流路開閉手段３３により管路１４との連通部の下流側の管路１１が閉じる。透過水は貯水手段２１から流出して管路１１を移送され、酸性水は貯水手段２３から流出して管路１４を移送される。管路１４を移送された酸性水は透過水と合流し、吐水手段５４で吐水される。
【００３９】
透過水、アルカリ水、酸性水の吐水手段は図１や図４のように共通であってもよいし、図５のように透過水は吐水手段５２、アルカリ水は吐水手段５３、酸性水は吐水手段５４とそれぞれ別の吐水手段を使って吐水してもよいが、透過水、アルカリ水は飲用目的で使用され、酸性水は殺菌等飲用以外の目的で使用されるため、酸性水は透過水、アルカリ水とは別の吐水口から吐水することが望ましい。２つ以上の吐水手段を使って吐水する場合は、それぞれの吐水手段の前に流路開閉手段３３、３４、３５のような、選択されていない水の吐水手段からの流出を防ぐ手段が必要である。
【００４０】
吐水口は一定量吐水したあと止水する定量弁の機能を有するものであってもよい。
【００４１】
装置内に菌などが繁殖することを防ぐため、時計やタイマーによる制御により、貯水手段に貯水されている水を所定期間ごとに排水してもよい。
【００４２】
装置内に使用状況を検知する手段を設け、使用頻度や使用量に応じて貯水手段に貯水されている水を排水する制御を設けてもよい。
【００４３】
貯水手段内の水のｐＨや電気伝導度など、水質を検知する手段を設け、水質によって貯水手段に水を貯水されている排水する制御を設けてもよい。
【００４４】
貯水手段内の水を殺菌するため、紫外線ランプなどを設けてもよい。
【００４５】
装置内に時計やタイマーを備え、使用時間によって、逆浸透膜や電気分解装置のメンテナンス時期を通知する手段を設けてもよい。
【００４６】
装置内に使用回数を検知する手段を備え、使用回数によって、逆浸透膜や電気分解装置のメンテナンス時期を通知する手段を設けてもよい。
【００４７】
装置内に通水量を検知する手段を備え、使用量によって、逆浸透膜や電気分解装置のメンテナンス時期を通知する手段を設けてもよい。
【００４８】
逆浸透膜１の上流側の管路１０に活性炭や中空糸膜などの浄水手段を設けてもよく、これにより原水中の有機物やコロイド成分など大きな分子が取り除かれるため、逆浸透膜の寿命が延びる効果がある。また逆浸透膜で処理される水中の不純物が少なくなるため、電気分解される濃縮水中の不純物濃度が低くなり、さらに高純度のアルカリイオン水が得られる。
【００４９】
濃縮水を移送する管路１２、あるいは濃縮水を電気分解したアルカリ水を移送する管路１３の途上に浄水手段を設け、さらに高純度のアルカリイオン水を生成させることもできる。
【００５０】
濃縮水を電気分解した酸性水を移送する管路１４の途上に浄水手段を設け、高純度の酸性水を供給してもよい。
【００５１】
電気分解装置で生成した酸性水を逆浸透膜や管路の洗浄に用いてもよい。
【００５２】
電気分解装置で生成したアルカリ水を逆浸透膜や管路の洗浄、殺菌に用いてもよい。
【００５３】
本発明の水供給装置はキッチンなどに取り付けて、家庭用としての使用することや、店舗などに設置して、水の供給器や自販機としての使用することができる。
【図面の簡単な説明】
【００５４】
【図１】本発明の水供給装置を示す第一の構成図である。
【図２】水道水、濃縮水、透過水の電気伝導度を示すグラフである。
【図３】水の電気伝導度と電気分解に必要な電力の関係を示すグラフである。
【図４】本発明の水供給装置を示す第二の構成図である。
【図５】本発明の水供給装置を示す第三の構成図である。
【符号の説明】
【００５５】
１…逆浸透膜
２…電気分解装置
１０…原水を供給するための管路
１１…透過水を移送するための第一の管路
１２…濃縮水を移送するための第二の管路
１３…アルカリ水を移送するための第三の管路
１４…酸性水を移送するための第四の管路
２１…透過水を貯水するための第一の貯水手段
２２…アルカリ水を貯水するための第二の貯水手段
２３…酸性水を貯水するための第三の貯水手段
３１…貯水手段２２と管路１１との連通部の間で管路１３を開閉する第一の流路開閉手段
３２…貯水手段２３と管路１１との連通部の間で管路１４を開閉する第二の流路開閉手段
３３…管路１３、１４との連通部の下流側で管路１１を開閉する流路開閉手段
３４…管路１１との連通部の下流側で管路１３を開閉する流路開閉手段
３５…管路１１との連通部の下流側で管路１４を開閉する流路開閉手段
４１…管路１１で透過水を排水するための流路切り替え手段
４２…管路１３でアルカリ水を排水するための流路切り替え手段
４３…管路１４で酸性水を排水するための流路切り替え手段
５１…透過水とアルカリ水と酸性水を吐水する吐水手段
５２…透過水を吐水する吐水手段
５３…アルカリ水を吐水する吐水手段
５４…酸性水を吐水する吐水手段
６１…貯水手段２１の下流側で透過水を移送するポンプ
６２…貯水手段２２の下流側でアルカリ水を移送するポンプ
６３…貯水手段２３の下流側で酸性水を移送するポンプ
【図１】
2006272030.tif 000004
【図２】
2006272030.tif 000005
【図３】
2006272030.tif 000006
【図４】
2006272030.tif 000007
【図５】
2006272030.tif 000008